(57)【要約】【課題】内外の召合せ框間からの雨水の浸入を防止して水密性能の向上を図ることが可能な建具を提供すること。【解決手段】召合せ部空間１４９が室外空間と等圧な等圧空間とされるとともに、強風を伴った雨水が下枠と室内側障子１０Ａとの隙間から吹き込んだとしても、この雨水が越えることができない高さ寸法ｈ（＝１００mm）を有したＡＴ材１４８によって阻止されるので、ＡＴ材１４７，１４８同士の間に雨水が浸入しないようにできる。従って、室内空間との境界位置に設けられたＡＴ材１４７位置への雨水の浸入を防止することができるので、内外の召合せ框１４Ａ，１４Ｂ間から室内空間への雨水の浸入を防止して水密性能の向上を図ることができる。【選択図】図３
2007051535.tif 000002
【特許請求の範囲】
【請求項１】
上枠、下枠、および左右の縦枠を有する窓枠と、この窓枠内に支持されて室内外一対の召合せ框同士が見込み方向に重なることで閉じる障子とを備えた建具であって、
前記室内外一対の召合せ框の対向面における室外空間寄りの位置には、互いに係合する一対の係合片が当該召合せ框の長手方向に連続して設けられ、
前記対向面における室内空間寄りの位置には、一方または他方の対向面に取り付けられて他方または一方の対向面に当接する縦気密材が当該召合せ框の長手方向に連続して設けられ、
前記対向面における前記係合片と前記縦気密材との間には、一方または他方の対向面に取り付けられて他方または一方の対向面に当接する止水部材が、前記障子の下端縁から所定高さの範囲に設けられている建具。
【請求項２】
閉じた状態の前記障子における召合せ框の下方位置の前記下枠には、下枠止水部材が設けられ、この下枠止水部材と前記縦気密材および止水部材の各々の下端縁とが接続されている請求項１に記載の建具。
【請求項３】
前記障子の下端縁から前記止水部材の上端縁までの高さ寸法が１００mm以下に設定されている請求項１または請求項２に記載の建具。
【発明の詳細な説明】
【技術分野】
【０００１】
本発明は、建具に関し、詳しくは、窓枠内に支持されて室内外一対の召合せ框同士が見込み方向に重なることで閉じる障子を備えた建具に関する。
【背景技術】
【０００２】
従来、引き違い窓等の建具における召合せ部の気密構造として、内召合せ框に取り付けた気密材を外召合せ框に当接させ、これら内外の召合せ框同士の対向面間を密閉する気密構造が知られている（例えば、特許文献１参照）。
特許文献１に記載された従来の気密構造では、対向面における室外寄りおよび室内寄りの２箇所に気密材が内召合せ框の長手方向に連続して設けられており、これら２箇所の気密材でタイトラインを形成することで、対向面間の隙間を介して外気や雨水等が室内空間に入り込まないようになっている。
【０００３】
【特許文献１】実開昭５７−２１７６７号公報
【発明の開示】
【発明が解決しようとする課題】
【０００４】
しかしながら、従来の気密構造では、内外の召合せ框同士の対向面および２箇所の気密材で囲まれた狭い空間が形成され、この空間内の気圧が強風時の室外空間の気圧よりも低くなると、この圧力差によって当該空間（つまり、室内寄りの気密材部分）に雨水が浸入しやすくなってしまい、室内空間に対する水密性能が確保できない可能性があり、問題である。
【０００５】
本発明の目的は、内外の召合せ框間からの雨水の浸入を防止して水密性能の向上を図ることが可能な建具を提供することにある。
【課題を解決するための手段】
【０００６】
本発明の建具は、上枠、下枠、および左右の縦枠を有する窓枠と、この窓枠内に支持されて室内外一対の召合せ框同士が見込み方向に重なることで閉じる障子とを備えた建具であって、前記室内外一対の召合せ框の対向面における室外空間寄りの位置には、互いに係合する一対の係合片が当該召合せ框の長手方向に連続して設けられ、前記対向面における室内空間寄りの位置には、一方または他方の対向面に取り付けられて他方または一方の対向面に当接する縦気密材が当該召合せ框の長手方向に連続して設けられ、前記対向面における前記係合片と前記縦気密材との間には、一方または他方の対向面に取り付けられて他方または一方の対向面に当接する止水部材が、前記障子の下端縁から所定高さの範囲に設けられていることを特徴とする。
【０００７】
ここで、本発明の建具としては、片引き窓でもよく、引き違い窓でもよい。そして、建具が片引き窓の場合には、固定障子の室内側または室外側に沿って可動障子がスライド開閉可能に設けられ、固定障子および可動障子の召合せ框同士が重なって閉じるように構成されていればよい。また、建具が引き違い窓の場合には、一般的な二枚建ての引き違い窓でもよく、また三枚建てや四枚建ての引き違い窓であってもよく、これら複数の可動障子のうちの任意の一対の障子における召合せ框同士が重なって閉じるように構成されていればよい。
【０００８】
このような構成によれば、室内外の召合せ框の対向面において、互いに係合する係合片（例えば、煙返し等）と室内空間寄り設けられた縦気密材とで召合せ部空間が形成され、この召合せ部空間は、係合片で室外空間と仕切られているものの、係合片同士の隙間や係合片の上下端部等から外気が導入されて室外空間と等圧な等圧空間とすることができる。そして、係合片同士の係合により召合せ部空間への雨水の浸入が阻止されるとともに、万一、雨水が浸入したとしても、この雨水は勢いが弱められているので係合片部分の下方に落下して下枠を介して排出される。さらに、強風を伴った雨水が下枠部分（障子の下方）から召合せ部空間に浸入したとしても、所定高さまで設けられた止水部材によって阻止され、縦気密材の位置まで到達することなく排出される。
従って、強風を伴った雨水であっても止水部材によって縦気密材の位置までの浸入を防止することができるので、内外の召合せ框間から室内空間への雨水の浸入を防止して水密性能の向上を図ることができる。
【０００９】
この際、本発明の建具では、閉じた状態の前記障子における召合せ框の下方位置の前記下枠には、下枠止水部材が設けられ、この下枠止水部材と前記縦気密材および止水部材の各々の下端縁とが接続されていることが好ましい。
このような構成によれば、止水部材の下端縁に接続される下枠止水部材が設けられているので、下枠部分（障子の下方）から召合せ框間に浸入しようとする雨水が阻止され、召合せ框の対向面間における止水部材と縦気密部材との間の空間への雨水の浸入を防止することができる。さらに、召合せ框の対向面間における止水部材と縦気密部材との間の空間に万一雨水が浸入したとしても、縦気密材と下枠止水部材とが接続されていることで、縦気密材よりも室内側への雨水の浸入が防止できる。
【００１０】
また、本発明の建具では、前記障子の下端縁から前記止水部材の上端縁までの高さ寸法が１００mm以下に設定されていることが好ましい。
このような構成によれば、止水部材を必要以上に長くしないことで、召合せ框の対向面間における止水部材と縦気密部材との間の空間が狭くならず、前記召合せ部空間と連続した一体的な空間になるため、導入された外気が行き渡りやすくなって等圧空間が構成しやすくできる。
この際、障子の下端縁から止水部材の上端縁までの高さ寸法としては、次の式（１）を満足することが好ましい。ここで、ｇは、重力加速度であり、Ｃi ，Ｃo は、それぞれ室内側および室外側の空気流量係数であり、Ａi ，Ａo は、それぞれ室内側および室外側の隙間面積であり、ΔＰは、室内外の圧力差であり、ρは、空気密度である。そして、室内側の隙間面積（Ａi ）としては、例えば縦気密部材の下端縁と下枠止水部材との隙間の面積などが適用可能である。また、室外側の隙間面積（Ａo ）としては、召合せ框の対向面間における止水部材と縦気密部材とで囲まれた空間の横断面積が適用可能である。
【００１１】
【数１】
2007051535.tif 000003
【００１２】
このような高さ寸法ｈを満足するように止水部材の上端縁の位置を設定することで、止水部材を越えて雨水が止水部材と縦気密部材との間の空間に浸入することが防止でき、さらなる水密性能の向上を図ることができる。
【発明を実施するための最良の形態】
【００１３】
以下、本発明の実施形態を図面に基づいて説明する。
図１は、本発明の実施形態に係る建具である引違い窓１を示す縦断面図である。図２は、引違い窓１を示す横断面図である。図３は、引違い窓１の障子の召合せ部を拡大して示す横断面図である。図４(Ａ)，(Ｂ)は、それぞれ内召合せ框１４Ａを示す横断面図および側面図である。
図１および図２において、引違い窓１は、建物の外壁開口部に固定される窓枠２と、窓枠２の内部に開閉自在に支持された室内外一対の障子１０（室内側障子１０Ａ、室外側障子１０Ｂ）とを有して構成されている。窓枠２は、それぞれアルミ形材製の上枠３、下枠４、および左右の縦枠５を四周枠組みして形成されている。障子１０は、それぞれアルミ形材製の上框１１、下框１２、左右の縦框である戸先框１３および召合せ框１４（内召合せ框１４Ａ、外召合せ框１４Ｂ）と、これらを四周框組みした内部に嵌め込んだガラスパネル１５とを有して構成されている。そして、室内側障子１０Ａおよび室外側障子１０Ｂは、各々の戸先框１３が縦枠５に当接するとともに、内外の召合せ框１４Ａ，１４Ｂが見込み方向に重なって閉じ、内召合せ框１４Ａに設けたクレセント１６Ａと外召合せ框１４Ｂに設けたクレセント受け１６Ｂとが係合することで施錠されるようになっている。
【００１４】
内召合せ框１４Ａと外召合せ框１４Ｂとの対向面である内召合せ框１４Ａの室外側側面１４１および外召合せ框１４Ｂの室内側側面１４２には、図３、図４に示すように、それぞれ係合片である煙返し１４３，１４４が当該召合せ框１４Ａ，１４Ｂの長手方向略全長に渡って連続して設けられている。外召合せ框１４Ｂの煙返し１４４は、室内側側面１４２における室外空間寄りの位置、つまり外召合せ框１４Ｂの見付け方向外側（図３の右側）の端部に設けられて、見付け方向内側に鉤状に折れ曲がって形成されている。内召合せ框１４Ａの煙返し１４３は、外召合せ框１４Ｂの煙返し１４４と対称に折れ曲がって室外側側面１４１に形成されており、室内外の障子１０Ａ，１０Ｂを閉じた際に、煙返し１４３，１４４同士が互いに係合し、内外の召合せ框１４Ａ，１４Ｂ同士が引き寄せられるようになっている。
【００１５】
内召合せ框１４Ａの室外側側面１４１における煙返し１４３よりも室内空間寄りの位置、つまり内召合せ框１４Ａの見付け方向外側（図３の左側であって図４の右側）には、室外側に向かって開口した断面略Ｃ字形の気密材保持部１４５，１４６が、内召合せ框１４Ａの長手方向略全長に渡って連続して２箇所に形成されている。一方の気密材保持部１４５は、内召合せ框１４Ａの室外側側面１４１の見付け方向外端部、つまり室内空間との境界位置に設けられ、他方の気密材保持部１４６は、煙返し１４３の近傍位置に設けられており、これらの気密材保持部１４５，１４６同士は、互いに離隔して設けられている。
一方の気密材保持部１４５には、外召合せ框１４Ｂの室内側側面１４２に当接可能な縦気密材であるＡＴ材１４７が、内召合せ框１４Ａの長手方向略全長に渡って連続して取り付けられている。また、他方の気密材保持部１４６には、外召合せ框１４Ｂの室内側側面１４２に当接可能な止水部材であるＡＴ材１４８が取り付けられている。このＡＴ材１４８は、図４に示すように室内側障子１０Ａの下端縁から所定高さ（高さ寸法ｈ、例えば、ｈ＝１００mm）の範囲にのみ設けられている。
【００１６】
以上のＡＴ材１４７，１４８は、室内外の障子１０Ａ，１０Ｂを閉じた状態において、外召合せ框１４Ｂの室内側側面１４２に当接するようになっている。そして、これらのＡＴ材１４７，１４８の下方位置である下枠４には、下枠止水部材である風止板４０（図４）が設けられている。この風止板４０は、上方に突出した少なくとも２つの突片４１を有して形成されており、これらの突片４１が、ＡＴ材１４７，１４８の下端縁に当接する、あるいは内召合せ框１４Ａ下端部の摺動片に当接することで、風止板４０とＡＴ材１４７，１４８とが接続されるようになっている。
このように室内外の障子１０Ａ，１０Ｂを閉じた状態において、内外の召合せ框１４Ａ，１４Ｂの間には、室外側側面１４１、室内側側面１４２、係合した煙返し１４３，１４４、および室内側側面１４２に当接したＡＴ材１４７によって囲まれた召合せ部空間１４９が形成されるようになっている。
【００１７】
召合せ部空間１４９は、内召合せ框１４Ａの下部や上部における煙返し１４３と気密材保持部１４６との隙間や、係合した煙返し１４３，１４４同士の隙間を介して室外空間と連通され、これらの隙間から外気が導入されることで室外空間と等圧な等圧空間となっている。一方、室外空間の雨水等は、まず煙返し１４３，１４４で阻止されて召合せ部空間１４９に浸入できないようになっているとともに、特に水密性能上の弱点となりやすい下枠４との隙間部分についても、風止板４０に接続されたＡＴ材１４８で阻止されるようになっている。さらに、万一ＡＴ材１４８の内側まで雨水等が浸入したとしても、この雨水等は、風止板４０に接続されたＡＴ材１４７で阻止されて室内空間に浸入できず、下方に落下して下枠４を介して室外空間に排出されるようになっている。
【００１８】
以上の召合せ部における水密構造を図５に基づいて詳しく説明する。
図５は、召合せ部の水密構造を説明する内召合せ框１４Ａの側面図である。
図５に示すように、室外空間の気圧がＰo 、室内空間の気圧がＰi であり、召合せ部空間１４９のうちのＡＴ材１４７，１４８同士の間の隙間空間１４９Ａの水平断面積がＡo であり、風止板４０と室内側障子１０Ａ下端との間に開口面積Ａi の隙間ができたと仮定し、室内空間に流入する通気量がＱi であるとした場合に、ＡＴ材１４７を乗り越えようとする水の流速Ｖは、次の式(２)のように求められる。
Ｖ＝Ｑi ／（Ｃo ・Ａo ）  ・・・・・（２）
そして、通気量Ｑi は、次の式(３)で算出される。
【００１９】
【数２】
2007051535.tif 000004
【００２０】
これらの式(２)、(３)と、次に示す式(４)とから、前記式(１)が導かれ、この式(１)により水が越えないＡＴ材１４８の高さ寸法ｈが算出される。
ｍｇｈ＝１／２・ｍＶ2  ・・・・・（４）
この式(４)では、左辺がＡＴ材１４８を水が越えるのに必要な位置エネルギであり、右辺が水の運動エネルギであるので、左辺が右辺よりも大きくなるような高さ寸法ｈに設定すれば、ＡＴ材１４８を越えて召合せ部空間１４９の隙間空間１４９Ａへの雨水の浸入が防止できる。式(４)において、ｍは質量であり、ｇは重力加速度である。
【００２１】
以上の各式において、Ｃo ，Ｃi は室外側および室内側の空気流量係数であり、ΔＰは室内外の圧力差であり、ρは空気密度である。ここで、開口面積Ａi ＝４．７×１０-6(m2)と仮定し、Ａo ＝１．８０×１０-4(m2)と仮定するとともに、Ｃo ＝Ｃi と設定し、ΔＰ＝１５００(Ｐa)＝１５３(kg/m2)と設定し、ρ＝１．２０５(kg/m3)と設定すると、室内側の通気量Ｑi は、次のように算出される。
Ｑi ＝２．３５×１０-4(m3/s)
そして、この通気量Ｑi により流速Ｖは、次のように算出される。
Ｖ＝１．３０(m/s)
この流速Ｖを前記式(４)に代入することで、ＡＴ材１４８の必要高さ寸法ｈreq が以下のように算出される。
ｈreq＞０．０８６５(m)＝８７(mm)
従って、ＡＴ材１４８の高さ寸法ｈが８７(mm)よりも大きければ、このＡＴ材１４８を越えて召合せ部空間１４９の隙間空間１４９Ａへ雨水が浸入しないことが分かり、本実施形態では、ＡＴ材１４８の高さ寸法ｈが１００mmに設定されている。
【００２２】
このような本実施形態によれば、以下のような効果がある。
（１）すなわち、召合せ部空間１４９が室外空間と等圧な等圧空間とされるとともに、強風を伴った雨水が下枠４と室内側障子１０Ａとの隙間から吹き込んだとしても、この雨水が越えることができない高さ寸法ｈ（＝１００mm）を有したＡＴ材１４８によって阻止されるので、ＡＴ材１４７，１４８同士の間の隙間空間１４９Ａに雨水が浸入しないようにできる。
従って、室内空間との境界位置に設けられたＡＴ材１４７位置への雨水の浸入を防止することができるので、内外の召合せ框１４Ａ，１４Ｂ間から室内空間への雨水の浸入を防止して水密性能の向上を図ることができる。
【００２３】
（２）そして、ＡＴ材１４７，１４８の下端縁に風止板４０が接続されているので、下枠４からＡＴ材１４７，１４８間の隙間空間１４９Ａに浸入しようとする雨水が阻止され、この点でも水密性能を向上させることができる。
【００２４】
（３）さらに、ＡＴ材１４８を必要以上に上方に長く延ばして設けないことで、召合せ部空間１４９におけるＡＴ材１４７，１４８同士の間の隙間空間１４９Ａが狭くならず、召合せ部空間１４９と連続した一体的な空間になるため、召合せ部空間１４９に導入された外気が行き渡りやすくなって等圧空間が構成しやすくできる。
【００２５】
なお、本発明は、前記各実施形態に限定されるものではなく、本発明の目的を達成できる他の構成等を含み、以下に示すような変形等も本発明に含まれる。
例えば、前記実施形態においては、室内外一対（二枚）の障子１０を有した引違い窓１について説明したが、本発明の建具は、片引き窓でもよく、引き違い窓でもよい。そして、建具が片引き窓の場合には、固定障子の室内側または室外側に沿って可動障子がスライド開閉可能に設けられ、固定障子および可動障子の召合せ框同士が重なって閉じるように構成され、これらの召合せ框間に前記実施形態のＡＴ材１４７，１４８が設けられていればよい。
また、建具が引き違い窓の場合には、三枚建てや四枚建ての引き違い窓であってもよく、これら複数の可動障子のうちの任意の一対の障子における召合せ框同士が重なって閉じるように構成され、これらの召合せ框間に前記実施形態のＡＴ材１４７，１４８が設けられていればよい。
【００２６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２７】
【図１】本発明の実施形態に係る建具を示す縦断面図である。
【図２】前記建具を示す横断面図である。
【図３】前記建具における障子の召合せ部を拡大して示す横断面図である。
【図４】(Ａ)，(Ｂ)は、前記障子の内召合せ框を示す横断面図および側面図である。
【図５】前記召合せ部の水密構造を説明する内召合せ框の側面図である。
【符号の説明】
【００２８】
２…枠体である窓枠、３…上枠、４…下枠、５…縦枠、１０…障子、１０Ａ…室内側障子、１０Ｂ…室外側障子、１４…召合せ框、１４Ａ…内召合せ框、１４Ｂ…外召合せ框、４０…下枠止水部材である風止板、１４３，１４４…係合片である煙返し、１４７…縦気密材であるＡＴ材、１４８…止水部材であるＡＴ材。
【図１】
2007051535.tif 000005
【図２】
2007051535.tif 000006
【図３】
2007051535.tif 000007
【図４】
2007051535.tif 000008
【図５】
2007051535.tif 000009